(57)【要約】【課題】ステータコアからの漏れ磁束の影響を極力抑え、ホール素子によるロータマグネットの磁極の判別を正しく行い、その出力電圧の誤差を大幅に低減することを目的とする。【解決手段】ステータティースの底部端面１ａ及び側部端面１ｂと接する部分を漏れなく覆い、かつ磁束を吸収する金属磁性材を配合した樹脂にて本インシュレータを構成することによって、ステータ側より発生する漏れ磁束を遮断する。【選択図】図２
2006025562.tif 000002
【特許請求の範囲】
【請求項１】
ホール素子によりロータマグネットの磁極を検出するブラシレスモータのステータコアと、このステータコアの突極に巻装するステータ巻線とを電気的に絶縁するインシュレータであって、ステータコアの突極先端部のロータマグネットと対向する面の裏面部端面及び突極先端部の側部端面と接する部分を漏れなく覆うように形成され、かつ磁性材を配合した素材にて構成したことを特徴とするインシュレータ。
【請求項２】
請求項1記載のインシュレータを用いて巻線を施した、ステータ組立体。
【請求項３】
請求項２記載のステータ組立体を用いて構成したブラシレスモータ。
【発明の詳細な説明】
【技術分野】
【０００１】
本発明はブラシレスモータのステータコアと巻線間の絶縁に使用されるインシュレータに関するものである。
【背景技術】
【０００２】
従来、小型ブラシレスモータは、ステータとロータで構成されるが、そのステータにおいては、さらに薄い電磁鋼板をプレスで打ち抜いて、形成したステータコアシートを積層して構成したステータコアに、インシュレータを上下方向から嵌め込み、その上からステータ巻線を施して構成される（例えば特許文献１の第４頁、図１参照）。
【０００３】
図５に従来の小型ブラシレスモータの断面図を示す。図５において１０がステータコア、１１がロータ、１２がステータ巻線、１３がインシュレータ、１４がホール素子、１５がロータマグネットである。
【０００４】
図３、図４に従来のインシュレータの構造、及びインシュレータを用いて構成したステータ巻線の部分拡大図を示す。図３において、インシュレータ１３は樹脂により形成されており、図４において、インシュレータ１３はステータコア１０を覆うように被せられ、その上にステータ巻線１２が施される。ステータコア１０とステータ巻線１２との電気的絶縁、及びステータ巻線１２がステータコア１０のエッジによって傷つかないようにする保護のためインシュレータ１３が使用されている。
【特許文献１】特開平７−５９３２４号公報
【発明の開示】
【発明が解決しようとする課題】
【０００５】
しかしながら、上記従来の構成では、ホール素子の出力電圧向上のために、ホール素子の設置位置をよりロータマグネットに近い位置にした場合、ブラシレスモータの動作時にステータ巻線に供給されるモータ駆動電流により磁界が発生し、ステータコアのエッジより漏れる漏れ磁束を生じるので、ホール素子が影響を受け、ホール素子の出力電圧に誤差信号が生ずるという課題があった。
【０００６】
本発明は、このような従来の課題を解決するものであり、ホール素子の出力電圧向上を目指し、ブラシレスモータの動作時に生じるステータコアからの漏れ磁束の影響を極力抑え、ホール素子によるロータマグネットの磁極の判別を正しく行い、その出力電圧の誤差信号を大幅に低減できるモータを提供することを目的とする。
【課題を解決するための手段】
【０００７】
上記課題を解決するために本発明は、ステータコアに嵌合させた際に、ステータティースの底部端面及び側部端面と接する部分を漏れなく覆い、かつ磁束を吸収する金属磁性材を配合した素材にてインシュレータを構成したものである。
【発明の効果】
【０００８】
請求項１記載の発明によれば、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるという有利な効果が得られる。
【０００９】
また、請求項２記載の発明によれば、ホール素子の出力電圧向上を目指し、ステータコアからの漏れ磁束の影響を極力抑え、ホール素子によるロータマグネットの磁極の判別を
正しく行い、その出力電圧の誤差信号を大幅に低減できるステータ巻線が得られるものである。
【００１０】
さらに、請求項３記載の発明によれば、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるモータが得られ、モータを駆動する回路に正しい位相情報が送信され、モータの高効率化、低振動化、低騒音化を実現するものである。
【発明を実施するための最良の形態】
【００１１】
本発明の請求項１に記載の発明は、ホール素子によりロータマグネットの磁極を検出するブラシレスモータのステータコアと、このステータコアの突極に巻装するステータ巻線とを電気的に絶縁するインシュレータであって、ステータコアの突極先端部のロータマグネットと対向する面の裏面部端面及び突極先端部の側部端面と接する部分を漏れなく覆うように形成され、かつ磁性材を配合した素材にて構成したことを特徴とするインシュレータであり、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるという作用を有する。
【００１２】
請求項２に記載の発明は、請求項1記載のインシュレータを用いて巻線を施した、ステータ組立体であり、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるステータ巻線が得られる。
【００１３】
請求項３に記載の発明は、請求項２記載のステータ組立体を用いて構成したブラシレスモータであり、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるブラシレスモータが得られ、ブラシレスモータを駆動する回路に正しい位相情報が送信され、ブラシレスモータの高効率化、低振動化、低騒音化を実現する。
【００１４】
以下本発明を実施するための最良の形態について、図面を参照して説明する。
【実施例１】
【００１５】
図１においてインシュレータ１の材質は磁束を吸収する金属磁性材を配合した樹脂で構成されており、金型成型により形成される。
【００１６】
図２は、上記インシュレータ１を用いて、構成したステータ巻線及びホール素子を示す斜視図である。モータは、大まかにステータとロータで構成されるが、そのステータにおいては、さらに薄い電磁鋼板をプレスで打ち抜いて、形成したステータコアシートを積層して構成したステータコア２に、インシュレータ１を上下方向から嵌め込み、その上からステータ巻線３を施して構成される。本発明のインシュレータ１はステータティース（突極先端部）の底部端面（図１において１ａで示す）及び側部端面（図１、図２において１ｂで示す）と接する部分を漏れなく覆い、かつ磁束を吸収する金属磁性材を配合した樹脂にて構成することによって、ステータ側より発生する漏れ磁束を遮断する。
【００１７】
従って、本発明のインシュレータ１を用いることによって、ロータマグネットの磁束を受けて、その極性に伴う出力電圧を発生するホール素子４が、その出力電圧向上のためによりロータマグネットに近い位置、すなわち、ステータティースにより近い位置に配置されるとしても、ステータティースから発生する漏れ磁束を遮断しているので、その影響を
極力受けず、ホール素子４によるロータマグネットの磁極の判別を正しく行い、ホール素子出力電圧の誤差信号の発生を大幅に低減することができる。
【実施例２】
【００１８】
上記実施の形態１のステータ巻線を用いて構成したブラシレスモータとすることで、ホール素子の出力電圧向上を目指し、ステータコアからの漏れ磁束の影響を極力抑え、ホール素子によるロータマグネットの磁極の判別を正しく行い、その出力電圧の誤差信号の発生を大幅に低減できるので、ブラシレスモータを駆動する回路に正しい位相情報が送信され、ブラシレスモータの高効率化、低振動化、低騒音化を実現することができる。
【産業上の利用可能性】
【００１９】
本発明のインシュレータは、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるという有利な効果が得られるものとして有用である。
【００２０】
また、本発明のインシュレータを用いて巻線を施した、ステータ巻線完成品は、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるステータ巻線が得られるものとして有用である。
【００２１】
さらに、上記ステータ巻線を用いて構成したブラシレスモータは、ホール素子の出力電圧向上を目指し、ステータコアからの漏れ磁束の影響を極力抑え、ホール素子によるロータマグネットの磁極の判別を正しく行い、その出力電圧の誤差信号を大幅に低減できるブラシレスモータが得られ、モータを駆動する回路に正しい位相情報が送信され、ブラシレスモータの高効率化、低振動化、低騒音化を実現するものとして有用である。
【図面の簡単な説明】
【００２２】
【図１】本発明の実施例１によるインシュレータを示す斜視図
【図２】本発明の実施例１によるインシュレータを用いて構成したステータ巻線及びホール素子を示す斜視図
【図３】従来のインシュレータを示す斜視図
【図４】従来のインシュレータを用いて構成したステータ巻線及びホール素子を示す斜視図
【図５】従来のブラシレスモータを示す断面図
【符号の説明】
【００２３】
１、１３  インシュレータ
１ａ  ステータティース底部端面
１ｂ  ステータティース側部端面
２、１０  ステータコア
３、１２  ステータ巻線
４、１４  ホール素子
１１  ロータ
１５  ロータマグネット
【図１】
2006025562.tif 000003
【図２】
2006025562.tif 000004
【図３】
2006025562.tif 000005
【図４】
2006025562.tif 000006
【図５】
2006025562.tif 000007